(57)【要約】【課題】製造工程の効率化、部品点数が少なく、温度変化に対する前光の出力変動を少なく抑えられることが可能な光ピックアップを提供することを目的とする。【解決手段】放射光源１０１と光検出手段１０２とを一体化したユニット光源１００と、反射透過手段３００とを備え、ユニット光源１００と反射透過手段３００とを保持する保持手段２００を一体化することにより、光ピックアップの製造時における各調整工程において放射光源１０１から出射する光の光量を光検出手段１０２で安定に検出できるため、性能が均一な光ピックアップを提供することができると共に、光ピックアップの各調整の簡略化が図れ、光ピックアップを安価に提供することができる。【選択図】図１
2006059407.tif 000002
【特許請求の範囲】
【請求項１】
放射光源と前記放射光源から放射した光ビームを受光する光検出手段とを一体化したユニット光源、前記光ビームの一部を前記ユニット光源側に反射光として反射させる反射部と前記光ビームの内前記反射光以外の光を透過させる透過部とを有する反射透過手段、及び前記透過部を透過した光ビームを集光する集光手段とを備え、
前記反射透過手段と前記ユニット光源とを保持する保持手段を有することを特徴とする光ピックアップ。
【請求項２】
前記反射部と前記透過部とを一体化した構成を有する請求項１記載の光ピックアップ。
【請求項３】
前記反射部は透過部近傍に形成した溝あるいは鋸歯の何れかの断面形状を有するホログラムである請求項１または２何れかに記載の光ピックアップ。
【請求項４】
前記反射透過手段からの前記反射光の前記光検出手段での検出出力が最大あるいは出力変動が最小の少なくとも何れかになるように、前記反射透過手段及び／または保持手段を、前記集光手段の光軸に直交する面方向に位置調整、及び／または前記光軸に対する角度調整の何れかを行うことを特徴とする光ピックアップの光軸調整方法。
【発明の詳細な説明】
【技術分野】
【０００１】
本発明は情報媒体に信号を記録、または情報媒体の信号を再生するために使われる光ピックアップに関するものである。
【背景技術】
【０００２】
従来、情報媒体に信号を記録、または情報媒体の信号を再生するために使われる光ピックアップにおいては、情報媒体に照射する光量を一定に保持するために、放射光源から出射する光の一部を前光として検出し、検出結果を光源に流す駆動電流を制御する制御手段に帰還させる前光検出が一般的に用いられている。例えば特許文献１に示されるような、放射光源から出射される光をハーフミラーなどの光分配手段を用いて光路を曲げ、放射光源から離れた場所に位置する光検出素子に入射させる構成が使用されている。
【特許文献１】特開平６−１２６９６号公報
【発明の開示】
【発明が解決しようとする課題】
【０００３】
一般的に、光ピックアップの製造工程において、情報媒体に正確に記録、再生させる必要があるために、放射光源の位置（光軸）、角度（出射分布）調整、ならびに対物レンズを搭載したアクチュエータの位置、角度（あおり）調整、および光検出器の位置、角度調整等の各調整を必要とする。これら製造工程における各調整において、放射光源は一般的に強度分布を持つために、放射光源の位置、角度調整時に、放射光源から出射する光の光量をモニタして、情報媒体に照射する光量を一定に保持できないという課題がある。
【０００４】
また、放射光源を電流一定で発光する方法を用いても、放射光源は、電流一定で発光させると発熱するために、閾値の変化やスロープ効率が低下し、出射パワーが一定に保持できない。これらの原因によって、調整の測定値が変動し、調整のばらつきや不安定を生じさせ、安定な調整を行うために放射光源の温度を一定にしなければならないという課題もあった。
【０００５】
さらには、各調整機構を有する部材と、光検出手段までの光学部品点数と、各部品を固定するための接着箇所が多く、温度変化による前光の出力変動を受けやすいという課題もあった。
【０００６】
そこで本発明は上記従来の課題に鑑み、製造工程の安定化、温度変化による前光の出力変動を少なく抑えられることができる光ピックアップを提供することを目的とする。
【課題を解決するための手段】
【０００７】
上記課題を解決するため本発明の光ピックアップは、放射光源と前記放射光源から放射した光ビームを受光する光検出手段とを一体化したユニット光源、前記光ビームの一部を前記ユニット光源側に反射光として反射させる反射部と前記光ビームの内前記反射光以外の光を透過させる透過部とを有する反射透過手段、及び前記透過部を透過した光ビームを集光する集光手段とを備え、前記反射透過手段と前記ユニット光源とを保持する保持手段を有する。
【０００８】
本発明は上記した構成によって、光ピックアップの製造工程における各調整において、放射光源から出射する光の光量をモニタし、一定に保持することができ、光ピックアップの各調整の安定化が図れる。
【発明の効果】
【０００９】
本発明の光ピックアップは、各調整の安定化、前光検出の簡素化が図られ、光ピックアップの製造工程の効率化、かつ性能向上としての効果は大きい。さらに、放射光源と光反射手段を固定する構成が簡素であるため、部品点数が減らせ、かつ、温度変化に対する前光の出力変動を少なく抑えられることができる。
【発明を実施するための最良の形態】
【００１０】
以下本発明の光ピックアップの最良の実施形態を図１〜図４を参照して説明し、また光軸調整方法を図５及び図６を参照して説明する。なお、同位置機能を有する構成要素には同一符号を付し、説明は割愛する。
【００１１】
図１は、本発明の光ピックアップの一実施形態における断面構成と、ユニット光源の構成を示している。同図において、１００は放射光源１０１と光検出手段１０２とを一体化したユニット光源、３００は放射光源１０１から放射された光ビームの一部を反射する反射部３０２と同光ビームを透過する透過部３０１とを有する反射透過素子、２００は反射透過素子３００をユニット光源１００に対して保持する保持手段、４００は透過部３０１を透過した光ビームを平行光線に変換するコリメートレンズ、５００歯へコリメートレンズ４００で平行光線に変換した光ビームを集光する対物レンズ、６００は対物レンズ５００で集光した光スポットにより情報信号を記録または再生する情報媒体である。
【００１２】
放射光源１０１から放射した光ビームは、前述したようにその一部は反射部３０２で反射され光検出手段１０２に入射する。また、透過部３０１を透過した光ビームは、コリメートレンズ４００で平行光線に変換された後、対物レンズ５００で集光されて情報媒体６００が備える不図示の情報層に光スポットを照射する。情報層で反射された光は、対物レンズ５００、コリメートレンズ４００及び透過部３０１と戻り、情報媒体６００のトラッキング誤差信号やフォーカス誤差信号を光検出手段１０３で検知する。光検出手段１０３は、情報媒体６００を反射して、対物レンズ５００、こりメータ連巣４００及び反射部３０１を透過した反射光、すなわち情報媒体６００に拘わる情報を検知するのに対し、光検出手段１０２は、情報媒体６００を経由せずに反射部３０２での反射光を検出するため、前述したいわゆる前光検出手段であり、反射透過素子３００の反射部３０２にて反射し、光検出手段１０２に入射した光の出力によって、放射光源１０１に供給する駆動電流を制御する制御信号に用い、情報媒体６００に集光する光強度を制御することができる。
【００１３】
通常、光ピックアップを製造する過程においては、コリメートレンズ４００、対物レンズ５００、図示しないミラー、図示しないプリズム等の光学部品の形状誤差、取り付けの誤差等によって、光軸７００が設計上理想とする光軸から外れる。また、放射光源１０１の発光点、出射角、拡がり角等の誤差及び／またはバラツキもあるため、情報媒体６００に正確に記録、再生するためには、放射光源１０１の光軸７００に直交する面方向の位置調整、及び／または光軸７００に対する角度調整する必要がある。
【００１４】
放射光源１０１は、電流一定で発光させると発熱するために、閾値の変化やスロープ効率が低下し、出射パワーが一定しない。そのために、調整設備の測定値が変動してしまい、安定した調整ができない。放射光源１０１と光検出手段１０２及び１０３が一体化されたユニット１００と保持手段２００と反射透過素子３００とは既に固定一体化されているので、放射光源の位置及び／または角度の調整時に、前光の出力が一定に保持でき、放射光源の出力が一定に保つことができ、前記調整設備の測定値が安定し、光ピックアップの調整が安定する。
【００１５】
図２は、本発明の光ピックアップの他の実施形態における断面構成と、反射透過素子３００の対物レンズ５００側から見た正面図である。本実施形態は反射透過素子３００がリング状の反射部３０３が透過部３０１の周りに形成した形状を有することを特徴する。透過部３０１を通過し、情報媒体６００に対物レンズ５００によって集光する光ビームの外の領域を、例えば金属蒸着等の手法で反射膜で反射させ、光検出手段１０２上に集光させる。これにより、光検出手段１０２が前光の光強度を検出し、前光出力信号の応答性、Ｓ／Ｎ比の向上、及び／またはユニット光源１００上に配置された半導体放射光源への帰還光、フォーカスエラー信号とトラッキングエラー信号を検出する光検出手段１０３への迷光を低減することができる。なお、本実施形態では、反射透過手段３００の対物レンズ５００側に反射膜を形成した構成であるが、反射透過手段３００の光源１０１側に形成してもよい。
【００１６】
図３は、本発明の光ピックアップの別の実施形態における断面構成図である。本実施形態では、光源１０１から放射した光ビームの一部を反射部３０４で反射させた前光を、光検出手段１０２により検出する構成である。そのため、保持手段２００の外側に反射部３０４を保持する反射保持部２０１を一体化して備えている。本実施形態によると、透過部３０１を介して対物レンズ５００で情報媒体６００に情報層に集光したスポットの収差を軽減できると共に情報媒体６００に集光する光強度の損失も低減することができ、情報媒体６００の情報層に対する記録再生特性が向上する。なお、本実施形態では保持手段２００の外側に反射保持部２０１を備えた構成であるが、反射部３０４を保持手段２００の内側に構成すると、保持手段２００をよりコンパクト化できるため好ましく、また例えば保持手段２００と反射保持部２０１とを成形する際に金型の構成が単純化できること等で光ピックアップに用いる部品を安価にすることができる。
【００１７】
図４は、本発明の光ピックアップの他の実施形態における断面構成と、反射透過手段３００の対物レンズ５００側から見た正面図を示している。本実施形態は反射透過手段３００の透過部３０１の領域近傍にホログラム素子の反射部３０５を備えている。反射部３０５に適用できるホログラムとしては、例えば同図（ｃ）に示したように所定深さ及びピッチの溝形状３０５ａを有するホログラム素子であっても、同図（ｄ）に示すように所定の深さ及びピッチの鋸歯形状３０５ｂであっても良い。ホログラム素子を用いた反射部３０５は、ホログラムの深さ及びピッチによって前光の波長及び角度等を自由に設計することが可能であるため好ましい。
【００１８】
図５は、本発明の光ピックアップとして図４の構成を適用した場合の光軸調整を節笑みする断面構成である。光源１０１と光検出手段１０２が一体化されたユニット１００と保持手段２００との間で、光軸７００と直交する面を通る矢印８０１方向、及び光軸７００と矢印８０１とがなす面に垂直な矢印方向に平行移動する位置調整を行う。位置調整をした後、接着剤等の接着手段によって、ユニット光源１００と保持手段２００とを一体化することで、光源１０１の出射角や、拡がり角や、ユニット光源１００の形状誤差、取り付け誤差等の各ばらつき等に関係なく光検出手段１０２に受光させることができる。なお、保持手段２００と反射透過手段３００とを同様に位置調整しても同じ効果が得られ、ユニット光源１００と保持手段２００との位置調整及び保持手段２００と反射透過手段３００との位置調整を両立させるとより光軸調整の精度が向上する。
【００１９】
図６は、本発明の光ピックアップとして図４の保持手段２００のユニット光源１００側に湾曲面２０２を備えた場合の光軸調整を示している。この構成により、前述した光軸７００に対してす直な平面方向（矢印８０１等）による調整に加え、矢印８０２で示す光軸７００に対する傾き調整（チルト調整等と称される）もできるため、光検出手段１０２及び／または１０３上のスポットの大きさを調整することが可能となり、温度変化による光検出手段１０２及び／または１０３上の集光位置の許容される変動量の拡大や、光源１０１や各種部品の各ばらつき等に関係なく光検出手段１０２及び／または１０３に受光させることができる。また、光検出手段１０２の中心により絞れた光を集光することができ、前光出力信号の応答性や、Ｓ／Ｎ比をさらに向上することができる。
【産業上の利用可能性】
【００２０】
本発明は、光軸調整が簡単で、部品点数が少なく、光源・対物レンズ・光検出手段への光路が安定させることができるため、高精度で小型の光ピックアップに適用することができる。
【図面の簡単な説明】
【００２１】
【図１】（ａ）は本発明の光ピックアップの一実施形態における断面図、（ｂ）はユニット光源の構成図
【図２】（ａ）は本発明の光ピックアップの他の実施形態における断面図、（ｂ）は反射透過手段の正面図
【図３】本発明の光ピックアップの別の実施形態における断面図
【図４】（ａ）は本発明の光ピックアップの他の実施形態における断面図、（ｂ）はホログラムを形成した平板の正面図、（ｃ）はホログラムの一例を説明する断面図、（ｄ）はホログラムの他の例を説明する断面図
【図５】本発明の光ピックアップの一実施形態の光軸調整方法を説明する図
【図６】本発明の光ピックアップの他の実施形態の光軸調整方法を説明する図
【符号の説明】
【００２２】
１００  ユニット光源
１０１  光源
１０２  光検出手段
２００  保持手段
３００  反射透過手段
４００  コリメートレンズ
５００  集光手段
６００  情報媒体
７００  光軸
８０１、８０２  光軸調整方向
【図１】
2006059407.tif 000003
【図２】
2006059407.tif 000004
【図３】
2006059407.tif 000005
【図４】
2006059407.tif 000006
【図５】
2006059407.tif 000007
【図６】
2006059407.tif 000008